(57)【特許請求の範囲】
【請求項１】
各エリア毎に配置された複数のセキュリティ端末からの、異常事態の発生を検出したことの通知を受信する受信手段と、
複数のセキュリティ端末のうちの第１のセキュリティ端末から異常事態を検出したことが通知されたとき、前記第１のセキュリティ端末に加えて、前記第１のセキュリティ端末が設置されている所定のエリア内の、第２のセキュリティ端末に対して異常事態の発生を通知する第１の通知手段と、
前記第１のセキュリティ端末により異常事態が検出されたときの通報先を記憶する記憶手段と、
前記記憶手段により記憶されている前記通報先に対して、異常事態の発生を通知する第２の通知手段と
を備えることを特徴とする監視装置。
【請求項２】
前記第１の通知手段は、異常事態の発生を通知するメッセージとともに、威嚇装置を駆動することを前記第１のセキュリティ端末および前記第２のセキュリティ端末に通知する
ことを特徴とする請求項１に記載の監視装置。
【請求項３】
前記異常事態として通信不能の状態にあるセキュリティ端末を検出した場合、通信不能の状態にある前記セキュリティ端末が設置された住宅を含むエリア内の他の住宅に設置されているセキュリティ端末に対して、警報の出力を指示する指示手段をさらに備える
ことを特徴とする請求項１に記載の監視装置。
【請求項４】
各エリア毎に配置された複数のセキュリティ端末からの、異常事態の発生を検出したことの通知を受信する受信ステップと、
複数のセキュリティ端末のうちの第１のセキュリティ端末から異常事態を検出したことが通知されたとき、前記第１のセキュリティ端末に加えて、前記第１のセキュリティ端末が設置されている所定のエリア内の、第２のセキュリティ端末に対して異常事態の発生を通知する第１の通知ステップと、
前記第１のセキュリティ端末により異常事態が検出されたときの通報先を記憶する記憶ステップと、
前記記憶ステップの処理により記憶されている前記通報先に対して、異常事態の発生を通知する第２の通知ステップと
を含むことを特徴とする監視方法。
【請求項５】
各エリア毎に配置された複数のセキュリティ端末からの、異常事態の発生を検出したことの通知を受信する受信ステップと、
複数のセキュリティ端末のうちの第１のセキュリティ端末から異常事態を検出したことが通知されたとき、前記第１のセキュリティ端末に加えて、前記第１のセキュリティ端末が設置されている所定のエリア内の、第２のセキュリティ端末に対する異常事態の発生の通知を制御する第１の通知制御ステップと、
前記第１のセキュリティ端末により異常事態が検出されたときの通報先の記憶を制御する記憶制御ステップと、
前記記憶制御ステップの処理により記憶されている前記通報先に対する、異常事態の発生の通知を制御する第２の通知制御ステップと
を含むことを特徴とするコンピュータが読み取り可能なプログラムが記録されている記録媒体。
【請求項６】
各エリア毎に配置され、異常事態の発生を検出する複数のセキュリティ端末と、
前記セキュリティ端末と通信する監視装置と
を備えるセキュリティシステムにおいて、
前記セキュリティ端末は、
異常事態の発生を検出する検出手段と、
前記検出手段により異常事態の発生が検出されたとき、異常事態の発生を前記監視装置に通知する第１の通知手段と
を備え、
前記監視装置は、
前記セキュリティ端末から異常事態を検出したことが通知されたとき、前記セキュリティ端末に加えて、前記セキュリティ端末が設置される前記エリア内の、他のセキュリティ端末に対して異常事態の発生を通知する第２の通知手段と、
前記セキュリティ端末により異常事態が検出されたときの通報先を記憶する記憶手段と、
前記記憶手段により記憶されている前記通報先に対して、異常事態の発生を通知する第３の通知手段と
を備えることを特徴とするセキュリティシステム。
【請求項７】
少なくとも１つの前記セキュリティ端末は住宅に設置され、少なくとも１つの前記セキュリティ端末は車両に設置される
ことを特徴とする請求項６に記載のセキュリティシステム。
【請求項８】
前記通報先は携帯電話機である
ことを特徴とする請求項６または７に記載のセキュリティシステム。
【請求項９】
各エリア毎に配置された複数のセキュリティ端末からの、異常事態の発生を検出したことの通知を受信する受信手段と、
複数のセキュリティ端末のうちの第１のセキュリティ端末から、前記第１のセキュリティ端末に予め設定されている装置IDおよび検出された異常事態の内容が通知されてきたとき、前記装置IDに基づいて、異常事態が発生した住宅およびその住宅を含むエリアを特定する特定手段と、
前記特定手段により特定された前記エリア内の他の住宅に設置されている第２のセキュリティ端末に対して外部装置の駆動を指示する指示手段と
を備えることを特徴とする監視装置。
【発明の詳細な説明】
【０００１】
【発明の属する技術分野】
本発明は、監視装置および方法、記録媒体、並びにセキュリティシステムに関し、特に、被害の拡大を抑制することができるようにした監視装置および方法、記録媒体、並びにセキュリティシステムに関する。
【０００２】
【従来の技術】
近年、強盗や火災などの非常事態を未然に防ぐために、または、被害を最小限に抑制するために、様々なセキュリティシステムが提案されている。
【０００３】
図１は、従来のセキュリティシステムの構成を示すブロック図である。住宅１には、火災などの発生を検知するセキュリティ装置１１、および公衆電話回線２に接続されている通信装置１２が設けられている。
【０００４】
そして、セキュリティ装置１１が火災などを検知したとき、通信装置１２は、それをコントロールセンタ３に公衆電話回線２を介して通知する。コントロールセンタ３は、通知を受けたとき、それを警備会社などのデポ４に通知して、デポ４から、住宅１の住民に対して問い合わせなどが行われる。
【０００５】
例えば、セキュリティ装置１１が火災を検出したとき、デポ４から問い合わせが行われ、住宅１の住民は、火災の程度などを報告し、対処方法などを教えてもらう。
【０００６】
【発明が解決しようとする課題】
しかしながら、従来のセキュリティシステムにおいては、住宅１において異常事態が発生したとき、住宅１の住民に対してのみ、問い合わせが行われ、対処方法などの指示がなされる。
【０００７】
従って、住宅１で火災が発生した場合、住宅１の住民には、対処方法などの指示がされるのにも関わらず、住宅１の近所の住民には、そのような指示がされない。それどころか、火災の発生すら気づかないことも予想される。
【０００８】
その結果、住宅１の近隣の住民が逃げ遅れてしまうなど、被害を最小限に抑制することができないという課題があった。
【０００９】
本発明はこのような状況に鑑みてなされたものであり、異常事態が発生した場合、その被害を最小限に抑制できるようにしたものである。
【００２６】
【課題を解決するための手段】
本発明の監視装置は、各エリア毎に配置された複数のセキュリティ端末からの、異常事態の発生を検出したことの通知を受信する受信手段と、複数のセキュリティ端末のうちの第１のセキュリティ端末から異常事態を検出したことが通知されたとき、第１のセキュリティ端末に加えて、第１のセキュリティ端末が設置されている所定のエリア内の、第２のセキュリティ端末に対して異常事態の発生を通知する第１の通知手段と、第１のセキュリティ端末により異常事態が検出されたときの通報先を記憶する記憶手段と、記憶手段により記憶されている通報先に対して、異常事態の発生を通知する第２の通知手段とを備えることを特徴とする。
監視装置は、例えば、図５のセンタ装置８２により構成される。
セキュリティ端末は、例えば、図５のホームセキュリティ装置８１−１乃至８１−N、または図２６の車載装置１５１であり、住宅や車両などに設置される。そして、異常事態とは、セキュリティ端末が住宅に設置されている場合、例えば、空き巣、火災、またはガス漏れなどであり、セキュリティ端末が車両に設置されている場合、車両の盗難や車両に対するいたずら（タイヤをパンクさせる、車体に傷をつけるなど）である。また、異常事態には、通信が不能である場合なども含まれる。
エリアは、例えば、半径数百メートルの範囲、または数百件の住宅の範囲などのように予め設定される。
複数のエリア毎の、異常事態の発生に関する情報が監視装置に通知されるため、監視装置において、総合的な防犯情報を取得することができる。これにより、例えば、異常事態の多発地域には、事前に警戒を呼びかけることが可能となる。また、車両の監視においては、被害に遭う確率が高い車種などを特定し、事前に警戒を呼びかけることができる。
【００２７】
第１の通知手段は、例えば、図１０のステップS１５の処理を実行する図５のセンタ制御装置１０１により構成され、記憶手段は、例えば、図７の記憶装置１０４により構成され、第２の通知手段は、例えば、図１０のステップS１４の処理を実行する図５のセンタ制御装置１０１により構成される。
【００２８】
第１のセキュリティ端末は、異常事態を検出したセキュリティ端末であり、第２のセキュリティ端末は、第１のセキュリティ端末と同一のエリア内に設置されているセキュリティ端末である。
【００２９】
そして、第１の通知手段は、異常事態を検出したセキュリティ端末がエリア内に存在することをエリア内の全体のセキュリティ端末に対して通知し、第２の通知手段は、自宅（所有する車両）において異常事態が検出されたときの通報先として予め設定されている携帯電話機などに、自宅（所有する車両）において異常事態が検出されたことを通知する。
【００３０】
通報先は、例えば、携帯電話機、PHS(Personal Handy Phone)端末、PDA(Personal Digital Assistants)、またはパーソナルコンピュータなどのメールアドレス、並びに電話番号などとされ、予め設定される。
【００３３】
第１の通知手段は、異常事態の発生を通知するメッセージとともに、威嚇装置を駆動することを第１のセキュリティ端末および第２のセキュリティ端末に通知するようにすることができる。
【００３４】
威嚇装置は、例えば、外部ライト５６、または外部スピーカ５７などである。このように、異常事態が発生したとき、威嚇装置を駆動して威嚇することにより、例えば、空き巣の被害の拡大を抑制することができる。
本発明の監視装置は、異常事態として通信不能の状態にあるセキュリティ端末を検出した場合、通信不能の状態にあるセキュリティ端末が設置された住宅を含むエリア内の他の住宅に設置されているセキュリティ端末に対して、警報の出力を指示する指示手段をさらに備えるようにすることができる。
【００３５】
本発明の監視方法は、各エリア毎に配置された複数のセキュリティ端末からの、異常事態の発生を検出したことの通知を受信する受信ステップと、複数のセキュリティ端末のうちの第１のセキュリティ端末から異常事態を検出したことが通知されたとき、第１のセキュリティ端末に加えて、第１のセキュリティ端末が設置されている所定のエリア内の、第２のセキュリティ端末に対して異常事態の発生を通知する第１の通知ステップと、第１のセキュリティ端末により異常事態が検出されたときの通報先を記憶する記憶ステップと、記憶ステップの処理により記憶されている通報先に対して、異常事態の発生を通知する第２の通知ステップとを含むことを特徴とする。
【００３６】
第１の通知ステップは、例えば、図１０のステップS１５により構成され、記憶ステップは、例えば、図１０のステップS１３において、通報先指定情報を予め設定するときの処理により、第２の通知ステップは、例えば、図１０のステップS１５により構成される。
本発明の記録媒体は、各エリア毎に配置された複数のセキュリティ端末からの、異常事態の発生を検出したことの通知を受信する受信ステップと、複数のセキュリティ端末のうちの第１のセキュリティ端末から異常事態を検出したことが通知されたとき、第１のセキュリティ端末に加えて、第１のセキュリティ端末が設置されている所定のエリア内の、第２のセキュリティ端末に対する異常事態の発生の通知を制御する第１の通知制御ステップと、第１のセキュリティ端末により異常事態が検出されたときの通報先の記憶を制御する記憶制御ステップと、記憶制御ステップの処理により記憶されている通報先に対する、異常事態の発生の通知を制御する第２の通知制御ステップとを含むコンピュータが読み取り可能なプログラムが記録されていることを特徴とする。
【００３７】
本発明のセキュリティシステムのセキュリティ端末は、異常事態の発生を検出する検出手段と、検出手段により異常事態の発生が検出されたとき、異常事態の発生を前記監視装置に通知する第１の通知手段とを備えることを特徴とする。また、監視装置は、セキュリティ端末から異常事態を検出したことが通知されたとき、セキュリティ端末に加えて、セキュリティ端末が設置されるエリア内の、他のセキュリティ端末に対して異常事態の発生を通知する第２の通知手段と、第１のセキュリティ端末により異常事態が検出されたときの通報先を記憶する記憶手段と、記憶手段により記憶されている通報先に対して、異常事態の発生を通知する第３の通知手段とを備えることを特徴とする。
少なくとも１つのセキュリティ端末は住宅に設置され、少なくとも１つのセキュリティ端末は車両に設置されるようにすることができる。
通報先は携帯電話機であるようにすることができる。
【００３８】
本発明のセキュリティシステムにおいては、異常事態の発生が検出され、異常事態の発生が検出されたとき、異常事態の発生が監視装置に通知される。また、セキュリティ端末から異常事態を検出したことが通知されたとき、セキュリティ端末に加えて、セキュリティ端末が設置されるエリア内の、他のセキュリティ端末に対して異常事態の発生が通知され、セキュリティ端末により異常事態が検出されたときの通報先が記憶され、記憶されている通報先に対して、異常事態の発生が通知される。
【００３９】
これにより、例えば、異常事態が発生したとき、その当事者（異常事態が住宅において発生した場合、その住民、または異常事態が車両において発生した場合、その所有者）だけでなく、近隣の住民などにも異常事態の発生が通知されるため、被害の拡大を抑制することができる。すなわち、近隣の住民も異常事態に対して備えることができる。
本発明の監視装置は、各エリア毎に配置された複数のセキュリティ端末からの、異常事態の発生を検出したことの通知を受信する受信手段と、複数のセキュリティ端末のうちの第１のセキュリティ端末から、第１のセキュリティ端末に予め設定されている装置IDおよび検出された異常事態の内容が通知されてきたとき、装置IDに基づいて、異常事態が発生した住宅およびその住宅を含むエリアを特定する特定手段と、特定手段により特定されたエリア内の他の住宅に設置されている第２のセキュリティ端末に対して外部装置の駆動を指示する指示手段とを備えることを特徴とする。
【００４０】
【発明の実施の形態】
図２は、本発明を適用したセキュリティシステムの概念を示す図である。
【００４１】
図に示すように、住宅４１−１乃至４１−N（以下、住宅４１−１乃至４１−Nのそれぞれを個々に区別する必要がない場合、まとめて住宅４１と称する。他の構成についても同様とする。）が存在するエリアがエリア３１−１と設定されている。住宅４１のそれぞれには、ホームセキュリティ通信装置４２−１乃至４２−Nが設けられており、ホームセキュリティ通信装置４２のそれぞれは、エリア内通信管理装置３２−１と、無線により通信する。
【００４２】
そして、エリア内通信管理装置３２−１は、異常事態の発生を監視する管理センタ３３と無線により通信する。
【００４３】
図に示すように、同様な構成を有するエリア３１−２および３１−３が設定されており、エリア内の通信を管理するエリア内通信管理装置３２−２および３２−３も、エリア内通信管理装置３２−１と同様に、それぞれ監視センタ３３と無線により通信する。それぞれのエリアは、例えば、半径数百メートルの範囲、または、数百件の住宅の範囲などのように設定される。そして、エリア内通信管理装置３２は、そのエリア内の所定の電柱などに設置される。
【００４４】
それぞれの住宅に設置されているホームセキュリティ通信装置４２には、各種の異常事態の発生を検出する装置などが接続されている。図３は、それぞれの住宅に設置される装置の例を示す図である。
【００４５】
住宅４１（住宅４１−１乃至４１−N）には、各部にセンサが設置されており、それぞれのセンサは、異常事態を検出したとき、それをホームセキュリティ制御装置５１に出力する。センサは、例えば、ガス漏れを検出するガスセンサ５２、住宅４１の住民が異常事態の発生を確認したとき操作される非常ボタン５３、セキュリティモードがオンにも関わらず、閉まっている状態の窓４１Aの鍵が開けられたり、窓４１Aが割られたりしたとき、それを検出するマグネットスイッチ５４、火災の発生を検出する火災センサ５５が設置される。以下、ガスセンサ５２が検出するガス漏れ、非常ボタン５３が操作されたとき出力する信号、マグネットスイッチ５４が検出する窓４１Aの異常、火災センサ５５が検出する火災のそれぞれを個々に区別する必要がない場合、まとめて、異常事態と称する。
【００４６】
ホームセキュリティ制御装置５１は、ホームセキュリティ通信装置４２を制御し、エリア内通信管理装置３２を介して、監視センタ３３（後述するセンタ装置８２（図５参照））と通信する。
【００４７】
また、住宅４１には、屋外に、外部ライト５６および外部スピーカ５７が設けられており、後述するように、ホームセキュリティ制御装置５１の制御に基づいて駆動し、例えば、侵入者などを威嚇する。
【００４８】
図４は、図２のセキュリティシステムの動作を示す図である。例えば、住宅４１−１において異常事態の発生が検出された場合について説明する。
【００４９】
例えば、マグネットスイッチ５４−１が侵入者（空き巣）の存在を検出したとき、ホームセキュリティ制御装置５１−１は、ホームセキュリティ通信装置４２−１を制御し、住宅４１−１において異常事態が発生したことを、エリア内通信管理装置３２−１を介して、監視センタ３３に通知する。
【００５０】
この通知には、ホームセキュリティ制御装置５１−１の装置IDなども含められており、監視センタ３３は、異常事態がどの住宅で発生したかを識別することができる。
【００５１】
監視センタ３３は、住宅４１−１で異常事態が発生していることを確認したとき、そのことを警備会社や警察などの所定の機関に通知するとともに、通報先として予め指定されている携帯電話機７１に対して、住宅４１−１において異常事態が発生していることを電子メールや音声などで通報する。この携帯電話機７１は、例えば、住宅４１−１の住民が有するものである。これにより、住宅４１−１の住民は、自宅で異常事態が発生したことを外出先で確認することができ、自宅に戻ったりすることができる。
【００５２】
また、監視センタ３３は、エリア３１−１内の他の住宅の住宅４１−２乃至４１−Nに設置されるホームセキュリティ制御装置５１−２乃至５１−Nに対して、住宅４１−１において異常事態が発生したことを通知する。
【００５３】
この通知を受けたホームセキュリティ制御装置５１−２乃至５１−Nのそれぞれは、住宅４１−１において異常事態が発生したことを表示部などに出力し、各住宅の住民に対して確認させる。これにより、住宅４１−１の近隣の住民も、住宅４１−１において異常事態が発生したことを確認することができ、それに対処することができる。例えば、近隣の住民が協力して、住宅４１−１に進入した空き巣を捕まえたり、戸締まりをして被害が自宅に及ばないようにするなどの対処を取ることができる。
【００５４】
また、監視センタ３３からの指示に応じて、エリア３１−１内の住宅４１−１乃至４１−Nのそれぞれに設置されている外部ライト５６−１乃至５６−Nおよび外部スピーカ５７−１乃至５７−Nが駆動される。これにより、例えば、周囲が暗い場合、エリア３１−１内の全体が明るくなり、被害の拡大を抑制することができる。また、注意を促す警報が出力されることにより、周辺を歩いている人などもその場から立ち去るなどの処置をとることができる。
【００５５】
図５は、上述したセキュリティシステムの構成例を示すブロック図である。
【００５６】
ホームセキュリティ装置８１−１は、住宅４１−１に設置される装置であり、上述したホームセキュリティ通信装置４２−１、ホームセキュリティ制御装置５１−１、およびガスセンサ５２−１乃至火災センサ５５−１よりなるセンサ機器９１−１、外部ライト５６−１および外部スピーカ５７−１よりなる外部装置９２−１から構成されている。
【００５７】
ホームセキュリティ装置８１−２乃至８１−Nは、住宅４１−２乃至４１−Nにそれぞれ設置され、ホームセキュリティ装置８１−１と同様に構成される。
【００５８】
エリア内通信管理装置３２−１は、ホームセキュリティ装置８１−１乃至８１−Nと無線により通信し、無線通信網である通信網８３を介して、センタ装置８２との上述したような異常事態の発生や、警報の出力などに関する通信を実現する。
【００５９】
センタ装置８２は、基本的に、センタ制御装置１０１、およびセンタ通信装置１０２から構成されている。センタ制御装置１０１は、センタ通信装置１０２を制御し、ホームセキュリティ装置８１−１乃至８１−Nと通信するとともに、例えば、異常事態が自宅で発生していることを住宅４１−１の住民が有する携帯電話機７１に通知する。なお、図においては、住宅４１−１の住民が有する携帯電話機７１しか図示されていないが、住宅４１−２乃至４１−Nの住民が有する携帯電話機も通信網８３に接続される。
【００６０】
図６は、ホームセキュリティ装置８１の詳細な構成例を示すブロック図である。ホームセキュリティ装置８１は、上述したものの他に、LCD(Liquid Crystal Display)９４、外部スピーカ５７と異なり、屋内に設置されるスピーカ９５、および各種の操作をホームセキュリティ装置８１に入力するとき操作される操作ボタン９６から構成される。また、ホームセキュリティ制御装置５１は、入出力装置９３を介して、センサ９１の出力を受信し、外部機器９２の動作を制御する。
【００６１】
図７は、センタ装置８２の構成例を示すブロック図である。センタ制御装置１０１は、入出力バス１０３を介して、センタ装置８２の全体の動作を制御する。記憶部１０４は、住宅毎に設置されるホームセキュリティ装置８１の装置IDに対応させて、例えば、異常事態が自宅で発生したことを通知する通知先としての携帯電話機の電話番号などの各種の情報を記憶する。CRT(Cathode Ray Tube)１０５は、いずれかのホームセキュリティ装置８１から異常事態の発生が通知されたとき、センタ制御装置１０１の制御に基づいて、発生現場の近隣の地図情報などを表示し、センタ装置８２を管理する管理者に対して提示する。キーボード１０６、およびマウス１０７は、センタ８２の管理者により操作され、操作内容に対応する信号を入出力バス１０３を介してセンタ制御装置１０１に出力する。
【００６２】
図８は、携帯電話機７１の構成例を示すブロック図である。制御部１２１は、入出力バス１２３を介して各部を制御し、携帯電話機７１の全体の動作を制御する。通信部１２２は、通信網８３を介して様々な装置と通信し、受信したパケットを制御部１２１に出力する。メモリ１２４は、不揮発性のフラッシュメモリなどよりなり、登録された電話番号などの情報を記憶するとともに、例えば、センタ装置８２から送信されてきた異常事態の発生を通知する電子メールなどを記憶する。LCD１２５は、制御部１２１からの指示に基づいて、各種の情報を表示する。例えば、LCD１２５には、自宅において異常事態が発生したことを通知するメッセージなどが表示される。入力部１２６は、テンキーや十字キーなどよりなり、携帯電話機７１のユーザからの入力を受け付ける。マイクロフォン１２７およびスピーカ１２８は、制御部１２１が通話モードを実行しているとき動作し、マイクロフォン１２７は、携帯電話機７１のユーザの発話を集音して入出力バス１２３を介して制御部１２１に出力し、スピーカ１２８は、他の電話機などから送信されてきた音声を入出力バス１２３を介して制御部１２１から受信したとき、それを出力する。
【００６３】
次に、本発明を適用したセキュリティシステムの動作について説明する。まず、図９のフローチャートを参照して、ホームセキュリティ装置８１の通報処理について説明する。
【００６４】
ステップS１において、ホームセキュリティ制御装置５１は、セキュリティモードがオンか否かを判定し、オンであると判定するまで待機する。後述するように、それぞれの住宅の住民は、例えば、操作ボタン９６を操作する、または、自らが有する携帯電話機で所定の設定ページなどにアクセスするなどして、自宅のセキュリティモードを変更することができる。
【００６５】
ホームセキュリティ制御装置５１は、セキュリティモードがオンであると判定したとき、ステップS２に進み、センサ機器９１で異常が検出されたか否かを判定し、異常を判定するまでステップS１に戻り、それ以降の処理を繰り返し実行する。
【００６６】
ホームセキュリティ制御装置５１は、ステップS２において、センサ機器９１が異常事態を検出したと判定したとき、ステップS３に進み、エリア内通信管理装置３２を介して、ホームセキュリティ制御装置５１の装置ID、および検出した異常の内容（例えば、どのセンサが異常を検出したかに関する情報）をセンタ装置８２に送信する。そして、ステップS１に戻り、それ以降の処理が繰り返し実行される。
【００６７】
次に、図１０のフローチャートを参照して、センタ装置８２の警報処理について説明する。
【００６８】
ステップS１１において、センタ制御装置１０１は、センタ通信装置１０２からの出力に基づいて、いずれかのホームセキュリティ装置８１から異常の発生が通知されたか否かを判定し、異常の発生が通知されたと判定するまで待機する。
【００６９】
一方、ステップS１１において、センタ制御装置１０１は、異常の発生が通知されたと判定した場合、警報モードとなり、ステップS１２に進み、通知されてきた情報に含まれている装置IDに基づいて、異常事態が発生した住宅、およびその住宅を含むエリアを特定し、異常の発生を管理者に確認させるメッセージとともに、CRT１０５に表示する。
【００７０】
図１１は、CRT１０５の表示例を示す図であり、この例においては、火災センサ５５により火災の発生が検出された場合とされている。
【００７１】
図に示すように、火災の発生が検出された住宅を含む近隣のエリアの地図が表示され、火災が発生した住宅がポインタ１０５Aで指定される。そして、センタ装置８２の管理者に対するメッセージとして、「A町B番地C家にて火災発生。近隣住居へ異常を通知。」が表示されている。管理者は、このメッセージを確認し、通報があった住宅のホームセキュリティ装置８１にアクセスし、住民が在宅中であるか否かを確認するなどの所定の処理を実行する。
【００７２】
ステップS１３において、センタ制御装置１０１は、通知された装置IDに基づいて、登録されている通報先指定情報を記憶装置１０４から読み出す。すなわち、セキュリティシステムを利用するユーザは、異常事態が自宅において発生したときの通報先として、自らが利用する携帯電話機の電話番号やメールアドレスなどを予め登録しておく必要がある。なお、通報先としては、携帯電話機の他、PHS端末、パーソナルコンピュータ、PDAなどのメールアドレスを登録することができる。
【００７３】
そして、センタ制御装置１０１は、ステップS１４において、ステップS１３で読み出した通報先指定情報により指定される携帯電話機７１に対して、自宅で異常事態の発生が検出されたことを通知するメッセージを含む情報を送信する。この情報は、センタ通信装置１０２から出力され、通信網８３を介して携帯電話機７１に送信される。
【００７４】
ステップS１５において、センタ制御装置１０１は、異常事態の発生が検出された住宅が存在するエリア内の、他のホームセキュリティ装置８１に対して、近隣において異常事態が発生していることを通報する。例えば、センタ制御装置１０１は、ホームセキュリティ装置８１のLCD９４に注意を促すメッセージを表示させるとともに、外部装置９２を駆動することを指示する。
【００７５】
例えば、住宅４１−１に設置されるホームセキュリティ装置８１−１において火災の発生が検出された場合、ホームセキュリティ装置８１−２乃至８１−Nに対して、その指示がされる。ホームセキュリティ装置８１−２乃至８１−NのそれぞれのLCD９４には、例えば、「住宅４１−１において火災が発生したおそれがあります。警戒してください。」などのメッセージが表示される。また、外部スピーカ５７により、同様の内容を示す音声ガイダンスが出力され、外部ライト５６により周囲が照射される。また、住宅４１−１に設置される外部装置９２−１も同様に駆動される。
【００７６】
ステップS１６において、センタ制御装置１０１は、異常事態の発生が検出された住宅の住民が利用する携帯電話機７１から、警報モードを解除することが指示されたか否かを判定する。すなわち、携帯電話機７１で、自宅において異常事態の発生が検出されたことを確認したユーザは、自宅に戻り、状況を確認する。そして、例えば、火災などの異常事態が解決された、またはセンサの誤作動であったなどの確認をしたユーザは、携帯電話機７１から、警報モードを解除することをセンタ装置８２に指示する。
【００７７】
センタ制御装置１０１は、警報モードを解除することが携帯電話機７１から指示されるまで警報を出力し続け、警報モードを解除することが指示されたと判定した場合、ステップS１７に進み、警報モードを解除する。これにより、例えば、駆動していたエリア３１−１内の住宅の外部ライト５６、および外部スピーカ５７が停止される。その後、ステップS１に戻り、それ以降の処理が繰り返し実行される。
【００７８】
次に、図１２のフローチャートを参照して、携帯電話機７１の警報出力処理について説明する。
【００７９】
ステップS３１において、制御部１２１は、通信部１２２からの出力に基づいて、センタ装置８２から、自宅で異常事態が検出されたことが通知されたか否かを判定し、通知されたと判定するまで待機する。
【００８０】
制御部１２１は、ステップS３１で、異常事態の検出が通知されたと判定した場合、ステップS３２に進み、入出力バス１２３を介してLCD１２５を制御し、異常事態が自宅において検出された旨のメッセージを表示する。
【００８１】
図１３は、ステップS３２において表示されるメッセージの例を示す図である。図のように、例えば、「自宅で火災が発生した恐れがあります。至急、確認してください。」などのメッセージが表示される。
【００８２】
このメッセージを確認したユーザは、例えば、自宅に戻り、火災の状況を確認し、それに対処する。
【００８３】
ステップS３３において、制御部１２１は、入力部１２６からの出力に基づいて、警報モードの解除をセンタ装置８２に指示することが、ユーザから入力されたか否かを判定し、解除することが入力されたと判定するまで待機する。そして、制御部１２１は、警報モードを解除することが入力されたと判定した場合、ステップS３４に進み、通信部１２２を制御し、通信網８３を介して、警報モードを解除することをセンタ装置８２に指示する。その後、処理はステップS３１に戻り、それ以降の処理が繰り返し実行される。
【００８４】
次に、図１４のフローチャートを参照して、異常事態の発生が検出された住宅の近隣の住宅に設置されるホームセキュリティ装置８１の警報出力処理について説明する。
【００８５】
ステップS４１において、ホームセキュリティ制御装置５１は、ホームセキュリティ通信装置４２からの出力に基づいて、警報の出力を指示する情報がセンタ装置８２から送信されてきたか否かを判定し、送信されてきたと判定するまで待機する。ホームセキュリティ制御装置５１は、警報を出力することを指示する情報がセンタ装置８２から送信されてきたと判定した場合、警報モードとなり、ステップS４２に進み、受信した情報に含まれる、異常事態が近隣で発生したことを住民に確認させるメッセージをLCD９４に表示する。
【００８６】
図１５は、ステップS４２で表示されるメッセージの例を示す図である。図に示すように、「近隣にて火災が発生した恐れがあります。状況を確認の上で、避難を行ってください。」などのメッセージが表示される。また、スピーカ９５からは、所定の警告音が出力される。
【００８７】
そして、ステップS４３において、ホームセキュリティ制御装置５１は、外部ライト５６、および外部スピーカ５７を駆動する。これにより、図１５に示したようなメッセージと同様の内容の警告が外部スピーカ５７から出力され、外部ライト５６により周囲が照射される。
【００８８】
ステップS４４において、ホームセキュリティ制御装置５１は、警報モードを解除することがセンタ装置８２から指示されたか否かを判定し、解除することが指示されるまでステップS４３に戻り、外部装置９２を駆動する。そして、ホームセキュリティ制御装置５１は、警報モードを解除することが指示されたと判定した場合、ステップS４５に進み、警報モードを解除する。その後、処理はステップS４１に戻り、それ以降の処理が繰り返し実行される。
【００８９】
以上のように、異常事態の発生が検出されたとき、その住宅の住民以外の、近隣の住民に対しても警報がされるようにしたので、警報を聞いた近隣の住民は、その異常事態に対して備えることができ、被害の拡大を防ぐことができる。
【００９０】
図１６は、本発明を適用した他のセキュリティシステムの概念を示す図である。このセキュリティシステムは、監視センタ３３が、各住宅に設置されているホームセキュリティ装置８１が正常に動作しているかを点検するものである。
【００９１】
そして、正常に動作していない装置が検出されたとき、監視センタ３３は、その住宅の住民が有する携帯電話機などの通報先に対して、自宅のホームセキュリティ装置８１が正常に動作していないことを通知するとともに、近隣の住民に対しても、そのエリア内で、正常に動作していないホームセキュリティ装置８１が確認されたことを通知する。
【００９２】
これにより、図に示すように、例えば、住宅４１−１に設置されているホームセキュリティ通信装置４２−１が何者かに破壊された場合など、エリア３１−１内に存在する他のホームセキュリティ装置８１にまで被害が及ぶのを抑制することができる。
【００９３】
まず、図１７のフローチャートを参照して、センタ装置８２の通信状態検出処理について説明する。
【００９４】
ステップS５１において、センタ制御装置１０１は、記憶装置１０４に記憶されているホームセキュリティ装置８１のそれぞれの状態を確認し、セキュリティモードがオン状態とされている装置の中から、通信状態を検出するホームセキュリティ装置８１を選択する。そして、ステップS５２で、センタ制御装置１０１は、エリア内通信管理装置３２に対して、選択したホームセキュリティ装置８１に関する情報を通知し、通信状態を検出することを指示する。
【００９５】
エリア内通信管理装置３２は、この指示に応じてホームセキュリティ装置８１にアクセスし、正常に動作しているか否かを判定し、その判定結果をセンタ装置８２に出力する。センタ制御装置１０１は、ステップS５３において、エリア内通信管理装置３２からの出力に基づいて、ステップS５１で選択したホームセキュリティ装置８１が通信可能であることが通知されたか否かを判定し、通信可能であると判定した場合、ステップS５１に戻り、それ以降の処理を繰り返し実行する。
【００９６】
一方、ステップS５３において、センタ制御装置１０１は、通信可能な状態でない（通信不能である）と判定した場合、ステップS５４に進み、通報先として予め登録されている通報先指定情報を記憶装置１０４から読み出す。そして、ステップS５５において、センタ制御装置１０１は、その通報先指定情報により指定される通報先の携帯電話機７１に対して、自宅のホームセキュリティ装置８１が通信不能な状態であることを通知する。
【００９７】
図１８は、ステップS５５の処理により、携帯電話機７１に出力されるメッセージの例を示す図である。図のように、例えば、「自宅のホームセキュリティ装置が通信不能です。至急確認してください。」などのメッセージが表示される。この表示を確認したユーザは、自宅に戻り、ホームセキュリティ装置８１の状態を確認する。例えば、侵入者によりホームセキュリティ通信装置４２が破壊されたり、電波が届かないように処理がされた場合、これにより被害を最小限に抑制することができる。
【００９８】
ステップS５６において、センタ制御装置１０１は、エリア内の他のホームセキュリティ装置に対して、近隣の住宅において、通信不能とされているホームセキュリティ装置８１が確認されたことを通知する。
【００９９】
例えば、住宅４１−１のホームセキュリティ通信装置４２−１が何者かに破壊された場合、住宅４１−１の住民が有する携帯電話機７１に通知されるとともに、住宅４１−２乃至４１−Nの住民に対して、上述したように、注意を促すメッセージが表示される。また、外部装置９２を駆動させるようにしてもよい。その後、処理はステップS５１に戻り、それ以降の処理が繰り返し実行される。
【０１００】
これにより、ホームセキュリティ通信装置４２が、近隣のエリア内において、連続的に破壊されるなどの被害を抑制することができる。
【０１０１】
次に、図１９のフローチャートを参照して、エリア内通信管理装置３２の通信状態検出処理について説明する。
【０１０２】
ステップS７１において、エリア内通信管理装置３２は、通信状態を検出するホームセキュリティ装置８１に関する情報が、通信網８３を介してセンタ装置８２から送信されてきたか否かを判定し、送信されてきたと判定するまで待機する。そして、送信されてきたと判定した場合、エリア内通信管理装置３２は、ステップS７２に進み、指定されるホームセキュリティ装置８１に対してアクセスする。
【０１０３】
エリア内通信管理装置３２は、ステップS７３において、アクセスした結果、そのホームセキュリティ装置８１が通信可能であるか否かを判定し、通信可能であると判定した場合、ステップS７４に進み、指定されたホームセキュリティ装置８１がアクセス可能であることをセンタ装置８２に対して通知する。
【０１０４】
一方、エリア内通信管理装置３２は、ステップS７３で、指定されたホームセキュリティ装置８１が通信不能であると判定した場合、ステップS７５に進み、それをセンタ装置８２に対して通知する。その後、センタ装置８２においては、携帯電話機７１に対して、警報がなされる。
【０１０５】
次に、図２０のフローチャートを参照して、ホームセキュリティ装置８１の通信状態検出処理について説明する。
【０１０６】
ステップS９１において、ホームセキュリティ制御装置５１は、エリア内通信管理装置３２から通信状態の検出信号が送信されてきたか否かを判定し、送信されてきたと判定するまで待機し、送信されてきたと判定した場合、ステップS９２に進み、それに対して応答する。
【０１０７】
この一連の処理により、センタ装置８２は、選択したホームセキュリティ装置８１が通信可能であるか否かを検出することができる。また、通信不能であることが確認された場合、そのホームセキュリティ装置８１が設置される住宅の住民と、近隣の住民に対して警報がされるため、被害を最小限に抑制することができる。
【０１０８】
上述したように、ユーザ（住民）は、自らが有する携帯電話機７１を利用して、自宅のホームセキュリティ装置８１のセキュリティモードを設定することができる。次に、図２１のフローチャートを参照して、携帯電話機７１のモード設定処理について説明する。
【０１０９】
ステップS１０１において、制御部１２１は、モード設定を行うことが入力部１２６から入力されることに応じて、センタ装置８２内に用意される所定の設定ページにアクセスし、ステップS１０２で、センタ装置８２から取得された設定ページをLCD１２５に表示する。
【０１１０】
図２２は、LCD１２５に表示されるモード設定画面の例を示す図である。この画面を確認したユーザは、例えば、入力部１２６を構成するテンキーの１番のボタンを操作することによりセキュリティモードをオンとし、２番のボタンを操作することによりオフとすることができる。なお、現在の設定モードなども表示される。
【０１１１】
ステップS１０３において、制御部１２１は、入力部１２６から設定が入力されたか否かを判定し、入力されるまで待機する。そして、制御部１２１は、設定が入力されたと判定したとき、ステップS１０４に進み、センタ装置８２に対して、設定を変更することを要求する。例えば、図２２に示すような画面において、テンキーの２番のボタンが操作されたとき、制御部１２１は、セキュリティモードをオンからオフにすることを要求する。
【０１１２】
そして、ステップS１０５において、変更済みの現在のモードの設定状況が表示され、ユーザはそれを確認する。
【０１１３】
次に、図２３のフローチャートを参照して、センタ装置８２のモード設定処理について説明する。
【０１１４】
ステップS１２１において、センタ制御装置１０１は、携帯電話機７１からアクセスされたか否かを判定し、アクセスされたと判定するまで待機する。そして、アクセスされたと判定した場合、センタ制御装置１０１は、ステップS１２２に進み、記憶装置１０４に記憶されている、アクセスしてきたホームセキュリティ装置８１の現在のモードを確認し、モードの設定ページとともに、通信網８３を介して携帯電話機７１に対して送信する。そして、携帯電話機７１においては、図２２に示したような設定画面が表示され、ユーザにより設定が入力される。
【０１１５】
ステップS１２３において、センタ制御装置１０１は、モードの設定を変更することが指示されたか否かを判定し、指示されていないと判定した場合、処理を終了する。一方、ステップS１２３で、センタ制御装置１０１は、モードの変更が指示されたと判定した場合、ステップS１２４に進み、携帯電話機７１を利用するユーザの自宅に設置されているホームセキュリティ装置８１に対して、通信網８３、およびエリア内通信管理装置３２を介して、モードの設定を変更することを指示する。
【０１１６】
ホームセキュリティ装置８１は、変更が指示されることに応じて、その設定を変更し、センタ装置８２に対して、設定を変更したことを通知する。
【０１１７】
ステップS１２５において、センタ制御装置１０１は、モードの設定を変更したことがホームセキュリティ装置８１から通知されてきたか否かを判定し、通知されていないと判定した場合、ステップS１２６に進む。そして、センタ制御装置１０１は、例えば、３回などの所定の回数だけ、変更することを繰り返しホームセキュリティ装置８１に対して指示したか否かを判定し、繰り返し指示したと判定するまで、ステップS１２４に戻り、以降の処理を繰り返し実行する。
【０１１８】
一方、センタ制御装置１０１は、ステップS１２６において、変更することを所定の回数だけ繰り返し実行したにも関わらず、モードの設定を変更したことがホームセキュリティ装置８１から通知されていないと判定した場合、ステップS１２７に進み、エラー処理を実行する。例えば、複数回繰り返し指示したことを記憶し、携帯電話機７１に対してそれを通知する。これにより、例えば、ホームセキュリティ通信装置４２が故障などしている場合、携帯電話機７１のユーザはそれを確認することができる。また、上述したように、近隣の住民に対して、警報を出力するようにしてもよい。
【０１１９】
一方、ステップS１２５において、モードの設定を変更したことがホームセキュリティ装置８１から通知されたと判定した場合、記憶装置１０４に記憶されているモードの設定状態に関する情報を更新するとともに、ステップS１２８に進み、携帯電話機７１に対して、モードの設定が正常に完了したことを通知する。そして、ステップS１２９に進み、エリア内通信管理装置３２に対して、対象のホームセキュリティ装置８１の設定を変更したことを通知する。
【０１２０】
次に、図２４のフローチャートを参照して、ホームセキュリティ装置８１のモード設定処理について説明する。
【０１２１】
ステップS１４１において、ホームセキュリティ制御装置５１は、ホームセキュリティ通信装置４２からの出力に基づいて、センタ装置８２から、モードを変更することが指示されたか否かを判定し、指示されたと判定するまで待機する。そして、ホームセキュリティ制御装置５１は、モードを変更することが指示されたと判定した場合、ステップS１４２に進み、モードを変更し、ステップS１４３において、ホームセキュリティ通信装置４２を制御し、設定を変更したことをセンタ装置８２に対して通知する。
【０１２２】
以上のような一連の処理により、ユーザは、外出している場合であっても、携帯電話機７１で自宅のセキュリティモードを変更することができる。また、当然、ユーザは、ホームセキュリティ装置８１に設けられる操作ボタン９６を操作して設定を変更することができる。
【０１２３】
図２５は、本発明を適用したさらに他のセキュリティシステムの概念を示す図である。
【０１２４】
以上においては、住宅において発生した異常事態を通報することについて説明したが、本発明は、例えば、盗難やいたずらなどの車両の異常事態を通報することについても適用することができる。
【０１２５】
車両１４１には、上述したようなホームセキュリティ装置８１と同様の機能を有する装置が車載装置１５１として用意されており、例えば、車両を盗もうとする者が現れ、それをセンサにより検出したとき、エリア内通信管理装置３２−１を介して、監視センタ３３に通知する。なお、車両１４１は、住宅４１−１の住民が所有するものであり、住宅４１−１の近傍にある駐車場に駐車している場合とする。
【０１２６】
監視センタ３３は、車両１４１において異常事態が検出された場合、それを通報先として予め登録されている携帯電話機７１、および住宅４１−１のホームセキュリティ装置８１−１に対して、電子メールや音声で通知する。そして、通知を確認した車両１４１の所有者（住宅４１−１の住民）は、車両１４１を確認しに行くなどして、車両１４１の盗難を未然に防ぐことができる。
【０１２７】
また、車両１４１の所有者は、車両１４１の近傍にいないため、すぐに車両１４１を確認できない場合、携帯電話機７１を利用して遠隔操作することにより、例えば、車両１４１のホーンを鳴らし、車両１４１を盗もうとする者に対して威嚇することができる。
【０１２８】
また、監視センタ３３は、車両１４１を盗難しようとする者が近隣にいることを、上述したように、エリア内通信管理装置３２−１を介して、エリア３１−１内の、他のホームセキュリティ装置８１に対して通知する。これにより、被害が拡大することを抑制したり、近隣の住民で協力して車両１４１を盗もうとする者を捕まえることができる。
【０１２９】
図２６は、図２５のセキュリティシステムの構成例を示すブロック図である。図５と同様の部分については、その説明は適宜省略する。なお、図２６においては、ホームセキュリティ装置８１は、住宅４１−１に設置されているホームセキュリティ装置８１−１しか図示されていないが、図５と同様に、エリア内通信管理装置３２−１を介して通信網８３に接続されているものとする。
【０１３０】
車載装置１５１は、基本的に、車載通信装置１６１、車載制御装置１６２、異常事態を検出するセンサ１６３、および車両を盗もうとする者に対して威嚇するホーンやライトなどよりなる外部装置１６４から構成されている。
【０１３１】
車載制御装置１６２は、車載装置１５１の全体の動作を制御し、センサ１６３で異常が検出されたとき、車載通信装置１６１を制御し、エリア内通信管理装置３２−１を介して、センタ装置８２にそれを通知する。また、車載制御装置１６２は、センタ装置８２から、車両を盗もうとする者を威嚇すべく、外部装置１６４を駆動することが指示されたとき、外部装置１６４を制御する。
【０１３２】
図２７は、車載装置１５１の詳細な構成例を示すブロック図である。
【０１３３】
車載制御装置１６２は、入出力装置１７１を介して、車載装置１５１の全体の動作を制御する。この入出力装置１７１には、リモートコントロールユニット１７２、GPS１７３、上述したセンサ１６３、および外部装置１６４が接続される。
【０１３４】
リモートコントロールユニット１７２は、操作部とその信号を受光する受光部からなり、例えば、セキュリティモードの変更などが入力される。GPS１７３は、車載制御装置１６２からの指示に基づいて、現在位置を検出し、入出力装置１７１を介して、車載制御装置１６２に現在位置を通知する。車載制御装置１６２は、例えば、車両１４１が盗難され、追跡モードとされている場合、所定時間毎に、位置情報を通信網８３を介してセンタ装置８２に通知する。
【０１３５】
センサ１６３は、例えば、車両１４１の全体の加速度や揺れを検出する加速度センサ１７４、ドアの開閉を検出するドアセンサ１７５、およびトランクの開閉を検出するトランクセンサ１７６により構成され、異常を検出したとき、入出力装置１７１を介して、車載制御装置１６２に出力する。外部装置１６４は、ホーン１７７、およびランプ１７８から構成される。
【０１３６】
次に、図２５のセキュリティシステムの動作について説明する。まず、図２８のフローチャートを参照して、車載装置１５１の通報処理について説明する。
【０１３７】
ステップS１５１において、車載制御装置１６２は、セキュリティモードがオンか否かを判定し、オンであると判定するまで待機する。そして、車載制御装置１６２は、セキュリティモードがオンであると判定した場合、ステップS１５２に進み、センサ１６３で異常が検出されたか否かを判定する。
【０１３８】
車載制御装置１６２は、ステップS１５２において、異常が検出されていないと判定した場合、ステップS１５１に戻り、それ以降の処理を繰り返し実行する。一方、車載制御装置１６２は、異常が検出されたと判定した場合、ステップS１５３に進み、エリア内通信管理装置３２−１を介して、車載装置１５１の装置ID、および異常の内容（いずれのセンサにより異常が検出されたかに関する情報）をセンタ装置８２に対して送信する。また、車載制御装置１６２は、GPS１７３を制御し、現在の位置情報を取得し、取得した位置情報もセンタ装置８２に対して送信する。
【０１３９】
次に、図２９のフローチャートを参照して、センタ装置８２の警報処理について説明する。
【０１４０】
ステップS１６１において、センタ制御装置１０１は、異常の発生が車載装置１５１から通知されたか否かを判定し、通知されたと判定するまで待機する。そして、センタ制御装置１０１は、異常の発生が車載装置１５１から通知されたと判定したとき、ステップS１６２に進み、車載装置１５１から通知された位置情報に基づいて、現在の車両の位置を確認し、その近傍のエリアの地図情報をCRT１０５に表示する。
【０１４１】
図３０は、CRT１０５の表示例を示す図であり、この例においては、駐車場に駐車している車両において異常事態の発生が検出された場合の例とされている。
【０１４２】
図に示すように、異常事態の発生が検出された場所を含む近隣のエリアの地図が表示され、車両の位置がポインタ１０５Bで指定される。そして、センタ装置８２の管理者に対するメッセージとして、「A町B番地C駐車場にて異常発生。近隣住居へ異常を通知。」が表示されている。
【０１４３】
なお、このように、駐車場において発生した異常事態についてのみ監視する場合、上述したように、GPS１７３により検出した位置情報に基づいてエリアを特定しなくても、通知された装置IDに基づいて、予め登録されている駐車場の近傍のエリアを表示するだけでよい。
【０１４４】
ステップS１６３において、センタ制御装置１０１は、通知された装置IDに基づいて、登録されている通報先指定情報を記憶装置１０４から読み出す。すなわち、上述したように、図２５のセキュリティシステムを利用するユーザは、異常事態が発生したときの通報先として、自らが利用する携帯電話機の電話番号などを予め登録している。
【０１４５】
そして、センタ制御装置１０１は、ステップS１６４において、ステップS１６３で読み出した通報先指定情報により指定される携帯電話機に対して、所有する車両において異常事態が発生したおそれがあることを通知する。この情報は、センタ通信装置１０２から出力され、通信網８３を介して携帯電話機７１に送信される。
【０１４６】
ステップS１６５において、センタ制御装置１０１は、車載装置１５１に外部装置１６４を駆動することを指示するとともに、駐車場が存在するエリア内の他のホームセキュリティ装置８１に対して、近隣において異常事態が発生していることをそれぞれのLCD９４に表示し、外部装置９２を駆動することを指示する。
【０１４７】
例えば、図３０において示したように、住宅４１−１の近傍の駐車場に駐車されている車載装置１５１において異常事態の発生が検出された場合、ホームセキュリティ装置８１−１乃至８１−Nに対して、警告を促すメッセージを表示することが指示され、それぞれのホームセキュリティ装置８１に用意される外部ライト５６、および外部スピーカ５７が駆動され、車両１４１を盗もうとする者に対して警戒することが促される。また、車両１４１が盗み出され、通常の駐車場以外の場所にある場合、その車両１４１の現在位置の周囲のエリアに対して、警戒することを促すようにしてもよい。
【０１４８】
図３１は、異常事態が検出された車両１４１の所有者の自宅に設置されるホームセキュリティ装置８１において表示されるメッセージの例を示す図である。図に示すように、「駐車している車両にいたずらあるいは異常が検知されました。車両の確認をお願いします。」などのメッセージがLCD９４に表示される。
【０１４９】
ステップS１６４の処理により携帯電話機７１に表示されるメッセージに基づいて、またはステップS１６５の処理により自宅のホームセキュリティ装置８１に表示されるメッセージに基づいて、所有する車両１４１の異常を確認したユーザは、車両１４１を確認する。
【０１５０】
ステップS１６６において、センタ制御装置１０１は、車両を追跡することが指示されたか否かを判定する。すなわち、車両１４１の所有者は、車両１４１を確認しに行ったときに、既に盗まれた後であった場合など、携帯電話機７１からセンタ装置８２にアクセスし、車両１４１の位置を追跡することを指示することができる。
【０１５１】
センタ制御装置１０１は、ステップS１６６において、追跡することが指示されていないと判定した場合、ステップS１６１に戻り、それ以降の処理を繰り返し実行する。一方、センタ制御装置１０１は、ステップS１６６で、車両を追跡することが指示されたと判定した場合、追跡モードを実行し、ステップS１６７に進み、車載装置１５１にアクセスし、位置情報の送信を要求する。追跡処理は、携帯電話機７１から追跡モードの終了が指示されるまで実行され、所定時間毎に、車両１４１の現在位置の問い合わせがセンタ装置８２により行われる。
【０１５２】
センタ制御装置１０１は、通信網９３を介して通知される車両１４１の位置情報を携帯電話機７１に通知する。これにより、携帯電話機７１のユーザは、刻々と変化する車両１４１の現在位置を確認することができる。
【０１５３】
ステップS１６９において、センタ制御装置１０１は、センタ通信装置１０２からの出力に基づいて、携帯電話機７１から追跡モードの終了が指示されたか否かを判定し、終了が指示されたと判定するまでステップS１６７に戻り、それ以降の処理を繰り返し実行する。一方、センタ制御装置１０１は、ステップS１６９において、追跡モードの終了が携帯電話機７１から指示されたと判定した場合、ステップS１７０に進み、位置情報の検出を終了することを車載装置１５１に指示する。そして、ステップS１６１に戻り、それ以降の処理が繰り返し実行される。
【０１５４】
次に、図３２のフローチャートを参照して、携帯電話機７１の警報出力処理について説明する。
【０１５５】
ステップS１８１において、制御部１２１は、センタ装置８２から、車両１４１において異常事態の発生が検出されたことが通知された否かを判定し、通知されたと判定するまで待機する。そして、制御部１２１は、異常事態の発生が通知されたと判定した場合、ステップS１８２に進み、異常が発生したことを通知するメッセージとともに、対処方法の選択画面をLCD１２５に表示する。
【０１５６】
上述したように、車両１４１の所有者は、車両１４１を確認しに行ったときに、既に持ち去られていた場合、車両１４１の位置を追跡することをセンタ装置８２に指示することができる。従って、例えば、LCD１２５には、追跡モードを実行するか否かを選択する画面が表示される。
【０１５７】
図３３は、異常が検出されたことを車両１４１の所有者に通知するメッセージと、その対処方法を選択する選択画面の例を示す図である。図に示すように、例えば、「車両に異常が検知されました。追跡モードにしますか？」などのメッセージが表示され、所有者は、この画面に応じて入力部１２６を操作し、追跡モードを実行するか否かを選択することができる。
【０１５８】
制御部１２１は、ステップS１８３で、図３３に示したような選択画面において、車両１４１を追跡することが選択されたか否かを判定し、選択されたと判定した場合、ステップS１８４に進み、通信部１２２を制御し、車両１４１の追跡を行うことをセンタ装置８２に要求する。
【０１５９】
この要求に応じて、センタ装置８２からは、所定の時間毎に、車両１４１の位置情報が送信されてくるため、制御部１２１は、ステップS１８５において、それをLCD１２５に表示する。
【０１６０】
ステップS１８６において、制御部１２１は、入力部１２６からの入力に基づいて、ユーザから車両１４１の追跡を終了することが入力されたか否かを判定し、入力されたと判定するまで、ステップS１８５に戻り、それ以降の処理を繰り返し実行する。
【０１６１】
例えば、車両の安全が確認されるなどして、ユーザが車両１４１の追跡を終了することを入力した場合、制御部１２１は、ステップS１８７において、車両の追跡を終了することをセンタ装置８２に対して要求する。その後、処理はステップS１８１に戻り、それ以降の処理が繰り返し実行される。
【０１６２】
一方、ステップS１８３において、制御部１２１は、車両１４１を追跡することが選択されていないと判定した場合、ステップS１８８に進む。上述したように、車両１４１の所有者は、携帯電話機７１を利用して遠隔操作することにより、車両１４１の外部装置１６４であるホーン１７７、およびランプ１７８を駆動することができる。なお、車両１４１の所有者が、携帯電話機７１でセンタ装置８２の所定のページにアクセスし、外部装置１６４を遠隔操作することができるようにしてもよい。
【０１６３】
ステップS１８８において、制御部１２１は、外部装置１６４を駆動することが入力されたか否かを判定し、入力されたと判定した場合、ステップS１８９に進み、車載装置１５１にアクセスし、外部装置１６４を遠隔操作する。これにより、例えば、ホーン１７７が駆動され、車両１４１を盗もうとする者を威嚇することができる。
【０１６４】
次に、センタ装置８２からの指示に応じて実行される車載装置１５１の遠隔処理について、図３４のフローチャートを参照して説明する。
【０１６５】
ステップS２０１において、車載制御装置１６２は、センタ装置８２から位置情報を送信することが要求されたか否かを判定する。センタ装置８２は、車両１４１が駐車場に駐車しているときは、エリア内通信管理装置３２を介して車載装置１５１と通信を行うが、例えば、車両１４１が盗み出された場合、通信先を車載装置１５１にアクセス可能な基地局に切り替えて、この遠隔処理を実行する。
【０１６６】
ステップS２０１において、車載制御装置１６２は、センタ装置８２から位置情報を送信することが要求されたと判定した場合、ステップS２０２に進み、GPS１７３を駆動し、位置情報を取得する。そして、車載制御装置１６２は、ステップS２０３において、ステップS２０２で取得した位置情報を、車載通信装置１６１からセンタ装置８２に対して送信する。
【０１６７】
ステップS２０４において、車載制御装置１６２は、位置情報の検出を終了することがセンタ装置８２から指示されたか否かを判定し、ステップS２０２に戻り、所定時間毎に、現在位置を繰り返し検出し、それをセンタ装置８２に通知する。そして、位置情報の検出を終了することが指示されたと判定した場合、ステップS２０１に戻り、それ以降の処理を繰り返し実行する。
【０１６８】
一方、ステップS２０１において、車載制御装置１６２は、位置情報の送信がセンタ装置８２から要求されていないと判定した場合（追跡モードが選択されていないと判定した場合）、ステップS２０５に進み、携帯電話機７１から外部装置１６４を駆動することが指示されたか否かを判定し、指示されたと判定した場合、ステップS２０６に進み、指示された外部装置１６４を駆動する。例えば、ホーン１７７を駆動することが指示された場合、車載制御装置１６２は、ホーン１７７を駆動し、ステップS２０７で、所定時間が経過したと判定するまでホーン１７７を鳴らし続ける。ステップS２０７において、外部装置１６４を駆動してから所定時間が経過したと判定した場合、車載制御装置１６２は、ステップS２０１に戻り、それ以降の処理を繰り返し実行する。
【０１６９】
以上においては、車載装置１５１から、異常が発生したことが通知されるとしたが、センタ装置８２から車載装置１５１にアクセスし、車両１４１の状態を確認するようにしてもよい。
【０１７０】
センタ装置８２から車載装置１５１にアクセスし、車両１４１の状態を確認する処理について、図３５のフローチャートを参照して説明する。
【０１７１】
ステップS２２１において、センタ制御装置１０１は、車載装置１５１と通信し、車両１４１の状態を検出することを指示する。例えば、この指示に応じて、各センサ１６３の現在の状態、または図示せぬメモリに記憶されているセンサ１６３の検出信号の履歴が通知されてくるため、センタ制御装置１０１は、これに基づいて、ステップS２２２において、異常の有無を分析する。
【０１７２】
ステップS２２３において、センタ制御装置１０１は、異常が確認されたか否かを判定し、確認されていないと判定した場合、処理を終了する。一方、例えば、過去の履歴に基づいて、所定の閾値以上の加速度（揺れ）が加速度センサ１７４により検出されていた場合、センタ制御装置１０１は、異常が発生したと認識し、ステップS２２４に進む。
【０１７３】
ステップS２２４において、センタ制御装置１０１は、車載装置１５１の装置IDに対応づけて記憶装置１０４に記憶している通報先指定情報を読み出し、第１の通報先として設定されている携帯電話機に対して、上述したように所定のメッセージを送信するなどして、異常の発生を通知する。
【０１７４】
ステップS２２５において、センタ制御装置１０１は、異常事態の発生を通報した携帯電話機から、そのメッセージを確認したことが通知されたか否かを判定する。そして、センタ制御装置１０１は、第１の通報先として設定されている携帯電話機のユーザがメッセージを確認したことが通知されたと判定したとき、処理を終了する。
【０１７５】
一方、ステップS２２５において、第１の通報先として設定されている携帯電話機のユーザがメッセージを確認したとの通知がないと判定した場合、センタ制御装置１０１は、ステップS２２６に進み、通報先指定情報により、第２の通報先として設定されている携帯電話機に対して、車両１４１に異常があったことを通報する。
【０１７６】
携帯電話機に対して電子メールなどで通報した場合、そのユーザが気付かないといったことは、一般的によくあるため、このように、複数の通報先を設定しておくことにより、より確実に、異常事態の発生を通報することができ、対処することができる。
【０１７７】
なお、当然ながら、上述した、住宅において発生した異常を通報するシステムにも、このように複数の通報先を設定することができる。
【０１７８】
次に、リモートコントロールユニット１７２を利用してセキュリティモードを変更する車載装置１５１の処理について、図３６のフローチャートを参照して説明する。ユーザは、図２１のフローチャートを参照して説明したものと同様の処理により、携帯電話機７１から車載装置１５１のセキュリティモードの変更をすることもできるが、車載装置１５１においては、リモートコントロールユニット１７２を利用してもモードの変更を行うことができる。
【０１７９】
ステップS２４１において、車載制御装置１６２は、リモートコントロールユニット１７２から、モードを設定することが指示されたか否かを判定し、指示されたと判定するまで待機する。そして、指示されたと判定した場合、ステップS２４２に進み、現在のモードの設定を表示する。例えば、図示せぬ表示部に表示するようにしてもよいし、ランプ１７８の点灯回数により、所有者に現在のモードを提示することもできる。
【０１８０】
ステップS２４３において、車載制御装置１６２は、リモートコントロールユニット１７２からの入力に基づいて、モードの変更が指示されたか否かを判定し、指示されていないと判定した場合、ステップS２４１に戻り、それ以降の処理を繰り返し実行する。
【０１８１】
一方、車載制御装置１６２は、ステップS２４３において、モードの変更が指示されたと判定した場合、ステップS２４４に進み、モードを変更し、変更したことを所有者に確認させる。例えば、セキュリティモードがオフ状態からオン状態へ変更した場合、車載制御装置１６２は、ランプ１７８を３回点灯させるなどして、モードを変更したことを所有者に提示する。
【０１８２】
そして、車載制御装置１６２は、ステップS２４５に進み、モードを変更したことをセンタ装置８２に通知し、ステップS２４６において、センタ装置８２にモードを変更したことを通知できたか否かを判定する。車載制御装置１６２は、車載通信装置１６１が正常に動作し、センタ装置８２にモードの変更を通知できたと判定した場合、ステップS２４１に戻り、それ以降の処理を繰り返し実行する。
【０１８３】
一方、車載制御装置１６２は、ステップS２４６において、モードの設定を変更したことをセンタ装置８２に通知できないと判定した場合、ステップS２４７に進み、モードの設定を変更したことを、所定の回数だけセンタ装置８２に繰り返し通知したか否かを判定する。そして、車載制御装置１６２は、所定の回数だけセンタ装置８２に繰り返し通知し、繰り返して通知したにも関わらず、センタ装置８２にモードを変更したことを通知できなかったと判定した場合、ステップS２４８において、エラー処理を実行する。例えば、通知できなかったことがメモリに保存され、その後、必要に応じてセンタ装置８２に通知される。
【０１８４】
【発明の効果】
本発明によれば、異常事態が発生した住宅の近隣の住宅に対しても、注意を促す警報がされるため、被害の拡大を抑制することができる。
【図面の簡単な説明】
【図１】従来のセキュリティシステムの構成例を示すブロック図である。
【図２】本発明を適用したセキュリティシステムの概念を示す図である。
【図３】住宅に設置される装置の例を示す図である。
【図４】図２のセキュリティシステムの動作を示す図である。
【図５】図１のセキュリティシステムの構成例を示すブロック図である。
【図６】図５のホームセキュリティ装置の詳細な構成例を示すブロック図である。
【図７】図５のセンタ装置の詳細な構成例を示すブロック図である。
【図８】図５の携帯電話機の詳細な構成例を示すブロック図である。
【図９】セキュリティ装置の処理を説明するフローチャートである。
【図１０】センタ装置の処理を説明するフローチャートである。
【図１１】センタ装置の表示例を示す図である。
【図１２】携帯電話機の処理を説明するフローチャートである。
【図１３】携帯電話機の表示例を示す図である。
【図１４】ホームセキュリティ装置の処理を説明するフローチャートである。
【図１５】ホームセキュリティ装置の表示例を示す図である。
【図１６】本発明を適用した他のセキュリティシステムの概念を示す図である。
【図１７】センタ装置の他の処理を説明するフローチャートである。
【図１８】携帯電話機の他の表示例を示す図である。
【図１９】エリア内通信管理装置の処理を説明するフローチャートである。
【図２０】ホームセキュリティ装置の他の処理を説明するフローチャートである。
【図２１】携帯電話機の他の処理を説明するフローチャートである。
【図２２】携帯電話機のさらに他の表示例を示す図である。
【図２３】センタ装置のさらに他の処理を説明するフローチャートである。
【図２４】ホームセキュリティ装置のさらに他の処理を説明するフローチャートである。
【図２５】本発明を適用したさらに他のセキュリティシステムの概念を示す図である。
【図２６】図２５のセキュリティシステムの構成例を示すブロック図である。
【図２７】図２６の車載装置の詳細な構成例を示すブロック図である。
【図２８】車載装置の処理を説明するフローチャートである。
【図２９】センタ装置の処理を説明するフローチャートである。
【図３０】センタ装置の他の表示例を示す図である。
【図３１】ホームセキュリティ装置の他の表示例を示す図である。
【図３２】携帯電話機のさらに他の処理を説明するフローチャートである。
【図３３】携帯電話機の表示例を示す図である。
【図３４】車載装置の他の処理を説明するフローチャートである。
【図３５】センタ装置の他の処理を説明するフローチャートである。
【図３６】車載装置のさらに他の処理を説明するフローチャートである。
【符号の説明】
３２  エリア内通信管理装置
４２  ホームセキュリティ通信装置
５１  ホームセキュリティ制御装置
７１  携帯電話機
８１  ホームセキュリティ装置
８２  センタ装置
９１  センサ機器
９２  外部装置
１０１  センタ制御装置
１０２  センタ通信装置
１５１  車載装置
１６１  車載通信装置
１６２  車載制御装置
１６３  センサ
１６４  外部装置
【図１】
0003666400.tif 000002
【図２】
0003666400.tif 000003
【図３】
0003666400.tif 000004
【図４】
0003666400.tif 000005
【図５】
0003666400.tif 000006
【図６】
0003666400.tif 000007
【図７】
0003666400.tif 000008
【図８】
0003666400.tif 000009
【図９】
0003666400.tif 000010
【図１０】
0003666400.tif 000011
【図１１】
0003666400.tif 000012
【図１２】
0003666400.tif 000013
【図１３】
0003666400.tif 000014
【図１４】
0003666400.tif 000015
【図１５】
0003666400.tif 000016
【図１６】
0003666400.tif 000017
【図１７】
0003666400.tif 000018
【図１８】
0003666400.tif 000019
【図１９】
0003666400.tif 000020
【図２０】
0003666400.tif 000021
【図２１】
0003666400.tif 000022
【図２２】
0003666400.tif 000023
【図２３】
0003666400.tif 000024
【図２４】
0003666400.tif 000025
【図２５】
0003666400.tif 000026
【図２６】
0003666400.tif 000027
【図２７】
0003666400.tif 000028
【図２８】
0003666400.tif 000029
【図２９】
0003666400.tif 000030
【図３０】
0003666400.tif 000031
【図３１】
0003666400.tif 000032
【図３２】
0003666400.tif 000033
【図３３】
0003666400.tif 000034
【図３４】
0003666400.tif 000035
【図３５】
0003666400.tif 000036
【図３６】
0003666400.tif 000037